(57)【要約】      （修正有）【課題】水道の吐水パイプの上部に物を保持等するためのホルダーを固定する器具として、吐水パイプの形状を問わず固定でき、また、ホルダーを交換可能とするものを提供する。【解決手段】蛇口の吐水パイプ上部に物を保持又は載置するホルダーを固定する吐水パイプ用ホルダー固定アダプターXとして、前記吐水パイプに巻きつけることができる長さを有する軟質素材からなる固定部材１０と、前記固定部材の一端側に設けられる係合具と、他端側に設けられる当該係合具に係合する被係合具と、前記固定部材の前記吐水パイプに巻きつけたときに外側に位置する面に設けられる少なくとも一部に磁石又は磁性体を有する上面載置部４０とを設ける。【選択図】図１
2016112186.tif 000002
【特許請求の範囲】
【請求項１】
蛇口の吐水パイプ上部に物を保持又は載置するホルダーを固定するアダプターであって、
前記吐水パイプに巻きつけることができる長さを有する軟質素材からなる固定部材と、
前記固定部材の一端側に設けられる係合具と、他端側に設けられる当該係合具に係合する被係合具と、
前記固定部材の前記吐水パイプに巻きつけたときに外側に位置する面に設けられる  少なくとも一部に磁石を有する上面載置部と、
を有する吐水パイプ用ホルダー固定アダプター。
【請求項２】
前記固定部材は少なくとも一部が弾性により当該固定部材の長手方向に伸長する素材により形成される請求項１に記載の吐水パイプ用ホルダー固定アダプター。
【請求項３】
前記固定部材の前記吐水パイプに巻きつけたときに内側に位置する面に、吐水パイプ表面に接触したときに摩擦力が高くなる部材からなる固定強化部材が設けられる請求項１又は２に記載の吐水パイプ用ホルダー固定アダプター。
【請求項４】
請求項１から３のいずれか１項に記載の吐水パイプ用ホルダー固定アダプターに固定される吐水パイプ用ホルダーであって、
下面に前記吐水パイプ用ホルダー固定アダプターの前記上面載置部上面に吸着する磁石または磁性体を有する吸着部と、
前記吸着部の上方に固定される、固定対象物を弾性によって狭持する部材が配置された狭持部材と
を有する吐水パイプ用ホルダー。
【請求項５】
前記狭持部材は、弾性体の線材をコイル状に巻いたものである請求項４に記載の吐水パイプ用ホルダー。
【請求項６】
請求項１から３のいずれか１項に記載の吐水パイプ用ホルダー固定アダプターに固定される吐水パイプ用ホルダーであって、
下面に前記吐水パイプ用ホルダー固定アダプターの前記上面載置部上面に吸着する磁石または磁性体を有する吸着部と、
前記吸着部の上方に固定される皿と
を有する吐水パイプ用ホルダー。
【発明の詳細な説明】
【技術分野】
【０００１】
本発明は、水道の吐水パイプの上部に物を保持又は載置するホルダーを固定するアダプター及び当該アダプターに固定されるホルダーに関する。
【背景技術】
【０００２】
水道の吐水パイプの下方側は物をぶら下げる等有効な使用方法が種々行われているが、吐水パイプの上方は使用されることがなく、無駄な空間になっていることがほとんどである。一方で、吐水パイプ上方は水の流れの影響がなく、利用者から見て手を伸ばしやすい位置にあるので、当該位置に物等を保持できれば利便性が高いと考えられる。
しかしながら、吐水パイプ上部に物を保持等するための器具等はなく、しいていえば、下記特許文献に示されるような棒状体をクリップで挟んで固定し、この上部に物を保持する構造を有する器具が存在する程度である。
【先行技術文献】
【特許文献】
【０００３】
【特許文献１】特開２００８−２６４４４８号公報
【特許文献２】特開２０１２−７５６７６号公報
【発明の概要】
【発明が解決しようとする課題】
【０００４】
上記特許文献に記載の発明は、木の枝やフライパンの柄などを固定対象として想定しているのでクリップで挟んで固定することに適しているが、近年水道の吐水パイプの形状は多様化しているためクリップではうまく挟めない吐水パイプも存在する。
また、水道はキッチン、洗面所、バス、トイレなどに設けられているが、それぞれの場所において水道の吐水パイプ上に保持させたい物は異なるので、上記特許文献に記載の発明のようにホルダー部分の形が決まっていると場所に応じた適切な使用が難しくなるという問題もある。
本発明は、このような問題に鑑みて、水道の吐水パイプの上部に物を保持等するためのホルダーを固定する器具として、吐水パイプの形状を問わず固定でき、また、ホルダーを交換可能とすることを課題とする。
【課題を解決するための手段】
【０００５】
上記課題を解決するために、本発明は次のような構成を有する。
請求項１に記載の発明は、蛇口の吐水パイプ上部に物を保持又は載置するホルダーを固定する吐水パイプ用ホルダー固定アダプターであり、前記吐水パイプに巻きつけることができる長さを有する軟質素材からなる固定部材と、前記固定部材の一端側に設けられる係合具と、他端側に設けられる当該係合具に係合する被係合具と、前記固定部材の前記吐水パイプに巻きつけたときに外側に位置する面に設けられる少なくとも一部に磁石又は磁性体を有する上面載置部とを有するものである。
請求項２に記載の発明は、前記吐水パイプ用ホルダー固定アダプターにおいて、前記固定部材は少なくとも一部が弾性により当該固定部材の長手方向に伸長する素材により形成されるものである。
請求項３に記載の発明は、前記吐水パイプ用ホルダー固定アダプターにおいて、前記固定部材の前記吐水パイプに巻きつけたときに内側に位置する面に、吐水パイプ表面に接触したときに摩擦力が高くなる部材からなる固定強化部材が設けられるものである。
請求項４に記載の発明は、前記吐水パイプ用ホルダー固定アダプターに固定される吐水パイプ用ホルダーであり、下面に前記吐水パイプ用ホルダー固定アダプターの前記上面載置部上面に吸着する磁石または磁性体を有する吸着部と、前記吸着部の上方に固定される、固定対象物を弾性によって狭持する部材が配置された狭持部材とを有するものである。
請求項５に記載の発明は、前記吐水パイプ用ホルダーにおいて、前記狭持部材を弾性体の線材をコイル状に巻いたものとしたものである。
請求項６に記載の発明は、前記吐水パイプ用ホルダー固定アダプターに固定される吐水パイプ用ホルダーであって、下面に前記吐水パイプ用ホルダー固定アダプターの前記上面載置部上面に吸着する磁石または磁性体を有する吸着部と、前記吸着部の上方に固定される皿とを有するものである。
【発明の効果】
【０００６】
以上のような構成により本発明は、次のような効果を奏する。
請求項１に記載の発明は、固定部材を吐水パイプに巻きつけることで固定するので、吐水パイプがどんな形状であっても外周に沿って巻きつけることが可能であり、吐水パイプの形状を問わず固定することが可能である。また、固定部材に磁石を設けることで、当該磁石を介してホルダーを固定するようにすることでホルダーを交換でき、使用場所に応じたホルダーの選択を行うことが可能となる。
請求項２に記載の発明は、固定部材の少なくとも一部を弾性によって固定部材の長手方向に伸びる素材とすることで、当該素材部分が伸びた状態で固定部材を吐水パイプに巻きつけて固定すれば、弾性力によって固定部材は吐水パイプを締め付けるのでより強固に吐水パイプに固定部材を固定することができる。
請求項３に記載の発明は、固定部材の吐水パイプが接触する面に固定強化部材を設けることで固定された固定部材が吐水パイプに対してより動きにくくなり、固定状態をより安定させることができる。
請求項４に記載の発明は、吸着部によって前記吐水パイプ用ホルダー固定アダプターに固定できるとともに、狭持部材によって固定対象物を挟んで固定することができる。
請求項５に記載の発明は、機構部分を有することなく固定対象物を狭持できるので、洗浄しやすく衛生的であり、また、壊れにくく、低コストで製造することが可能である。
請求項６に記載の発明は、ホルダーを皿とすることで、必要に応じて物を上部に置いておくことが可能となる。
【図面の簡単な説明】
【０００７】
【図１】実施形態に係る吐水パイプ用ホルダー固定アダプターの斜視図である。
【図２】（ａ）は実施形態に係る吐水パイプ用ホルダー固定アダプターの平面図であり、（ｂ）は同前記吐水パイプ用ホルダー固定アダプターの側面図であり、（ｃ）は同前記吐水パイプ用ホルダー固定アダプターの底面図である。
【図３】実施形態に係る吐水パイプ用ホルダーの斜視図である。
【図４】実施形態に係る吐水パイプ用ホルダーの側面図である。
【図５】吐水パイプに実施形態に係る吐水パイプ用ホルダー固定アダプターを固定した状態を示す斜視図である。
【図６】吐水パイプに固定された吐水パイプ用ホルダー固定アダプターに吐水パイプ用ホルダーを固定した状態を示す斜視図である。
【発明を実施するための形態】
【０００８】
以下、本発明の実施の形態について、図面を参照しながら説明する。図１に実施形態に係る吐水パイプ用ホルダー固定アダプターＸの斜視図を示し、図２（ａ）（ｂ）（ｃ）にそれぞれ吐水パイプ用ホルダー固定アダプターＸの平面図、側面図、底面図を示す。
吐水パイプ用ホルダーＸは、固定部材１０、係合フック２０、被係合リング３０、上面載置部４０を有する。固定部材１０はシリコーンゴム製の部材であり、平面視一端側が半円状で、他端側に向かって幅が狭くなるとともに暑さも薄くなるような形状を有する一般的な吐水パイプの外周長さよりも若干短い長さを有する。固定部材１０の底面側は断面半円状の凸条１１が一端側から他端側に向かって平行に並ぶように形成されている。当該凸条１１は吐水パイプ表面に接触したときに摩擦力が高くなる固定強化部材を構成する。
係合フック２０は金属で形成されたフックであり、鉤部分が固定部材１０の表面側から底面側に向かって引っかかるように固定部材１０の一端側先端に固定される。係合フック２０は根元部分が固定部材内に収まり、内部に膨大部分が形成されることで抜けないようになっている。被係合リング３０は固定部材１０の他端に一体に形成される穴からなるリングであり、係合フック２０が嵌る大きさに設定される。
上面載置部４０は、円板状の磁石により形成され、固定部材１０の一端側の上面に設けられる。上面載置部４０の下面側はフランジが形成され、これが固定部材１０内部に位置することで上面載置部４０は固定部材１０から脱落しないようになっている。
【０００９】
次に、本実施形態に係る吐水パイプ用ホルダーＹについて説明する。図３に吐水パイプ用ホルダーＹの斜視図を示し、図４に吐水パイプ用ホルダーＹの側面図を示す。吐水パイプホルダーＹは吸着部５０、皿部６０、狭持部材７０とから構成される。吸着部５０は円板状の磁性体のステンレスからなる板体により形成される。皿部６０は吸着部５０の上面に固定される皿状の部材である。狭持部材７０は、金属又はプラスチックからなる弾性体のワイヤーをコイル状に巻いた形状をしており、コイルの略中心軸が皿部６０に略平行になるように、皿部６０の上面にワイヤーの両端が固定されている。各コイルの一巻き同士の間に一定の間隔が設けられ、この間に物を弾性力により狭持できるようになっている。
【００１０】
次に、以上のような構成を有する吐水パイプ用ホルダー固定アダプターＸ及び吐水パイプ用ホルダーＹの使用方法について説明する。使用者は図５に示すように、吐水パイプ用ホルダー固定アダプターＸの固定部材１０を、上面載置部４０が蛇口の吐水パイプＰの上部に位置するようにして、吐水パイプＰに巻きつけ、被係合リング３０を係合フック２０に掛けることで固定する。固定部材１０は吐水パイプＰの外周よりも若干短く、さらに凸条１１が設けられることで被係合リング３０を係合フック２０に掛けるためにはシリコーンゴムからなる固定部材１０及び被係合リング３０を伸ばす必要があり、これによって固定部材１０は吐水パイプＰを締め付け、また、凸条１１も吐水パイプＰに押し付けられて弾性変形することで吐水パイプＰ表面に密着することで固定部材１０は吐水パイプＰにしっかりと固定される。次に、図６に示すように、吐水パイプ用ホルダー固定アダプターＸの上面載置部４０に、吐水パイプホルダーＹの吸着部１０を磁力により吸着させて固定する。以上で吐水パイプＰへの吐水パイプ用ホルダー固定アダプターＸ及び吐水パイプ用ホルダーＹの固定が完了するので、使用者は必要におうじて狭持部材７０に洗浄用スポンジ等を挟んで保持させることができる。そして、吐水パイプ用ホルダーＹは磁力により吸着しているので、吐水パイプ用ホルダーＹのみ必要に応じて取り外して洗浄等することができる。
このように本実施形態に係る吐水パイプ用ホルダー固定アダプターＸは、吐水パイプＰに巻きつけて固定することができる。上記実施形態では一般的な円形断面の吐水パイプＰを示したが、これよりも大きな外周長を持つ円形でない断面を有する吐水パイプＰも固定部材１０が伸びて巻きつくことで固定可能であり、巻きつくことで断面形状を問わず外周に固定部材の底面を吐水パイプの外周面に密着させることができる。また、吐水パイプ用ホルダーＹは磁力により吸着しているので、必要に応じて取り外すことができ、別の形態の吐水パイプ用ホルダーと交換することも可能である。
【００１１】
なお、上記実施形態においては吐水パイプ用ホルダーとして、皿部６０の上にコイル状の狭持部材７０を固定したものを例示したが、吐水パイプ用ホルダーのホルダー部分の形態は任意であり、皿部のみの形態としたり、上部か開放した箱状やかご状としたり、針状としたり等種々の形態を採用することができる。
また、上記実施形態では吐水パイプ用ホルダー固定アダプターＸの上面載置部４０を磁石、吐水パイプ用ホルダーＹの吸着部５０を磁性体としているが、互いに磁力で吸着すればよいので、上面載置部４０を磁性体、吸着部５０を磁石としたり、双方ともに磁石としたりすることも可能である。
さらに、上記実施形態では係合部をフック、被係合部をリングとしているが、係合方法は任意であり、面ファスナーや点ファスナーを利用したり、紐同士を結ぶようにしたり等種々の方法を採用することができる。また、係合部と被係合部として面ファスナーのように固定部材の長手方向に関して固定位置を変更できるものを採用すれば固定部材に締め付け具合を調節することができ好適である。
そして、固定部材１０の底面側に設ける固定強化部材は、上述した凸条を配置するもののほか、微細な空隙等の吸盤効果のある構造を設けて真空にすることで摩擦力を高めたり、底面部分に磁石粉を混入することで磁性体の吐水パイプに磁力で吸着することで摩擦力を高めたり等、摩擦力を高める種々の部材を採用することができる。
また、上記実施形態では吐水パイプ用ホルダー固定アダプターの上面載置部は固定部材の端部に設けているが、固定部材の中央等に設けてもよい。
【符号の説明】
【００１２】
Ｘ  吐水パイプ用ホルダー固定アダプター
Ｙ  吐水パイプ用ホルダー
１０  固定部材
２０  係合フック
３０  被係合リング
４０  上面載置部
５０  吸着部
６０  皿部
７０  狭持部材
【図１】
2016112186.tif 000003
【図２】
2016112186.tif 000004
【図３】
2016112186.tif 000005
【図４】
2016112186.tif 000006
【図５】
2016112186.tif 000007
【図６】
2016112186.tif 000008